(57)【要約】【課題】  中古車や不動産の情報誌の発行において、各販売業者の希望により適った情報誌をより速やかに発行可能で、かつ入力されたデータを販売管理や経理データとしても用いることが可能な情報誌発行システムを提供する。【解決手段】  複数の情報発信元（例えば中古車の販売業者）に設置したコンピュータ（発信元コンピュータ）に当該発信元の情報を蓄積し、処理センター（例えば中古車情報誌の発行元）に設置したコンピュータ（処理コンピュータないしサーバ）と複数の発信元コンピュータとをネットワークで接続して、処理コンピュータ側で作成したページレイアウトなどの処理ツールを発信元コンピュータに配布して、ページの作成などの発信元で可能な処理を当該処理ツールを利用して発信元コンピュータで行い、その処理結果のみを処理コンピュータで受信して、全体を統括する処理を処理コンピュータで行う。【選択図】      図１
2005038189.tif 000002
【特許請求の範囲】
【請求項１】
情報ファイルから複数の情報を選択して当該選択された情報についての処理を行う情報処理システムであって、
ネットワーク接続された処理コンピュータと複数の情報発信者の元に置かれた発信元コンピュータとを備え、処理コンピュータは、発信元コンピュータでの情報の一次処理に使用する一次処理ツールの配信手段と、各発信元コンピュータから受信した一次処理済み情報を統合的に処理する二次処理ツールとを備え、
発信元コンピュータは、それぞれの発信元における情報の登録手段と、登録された情報の選択手段と、選択された情報を前記一次処理ツールを用いて処理する一次処理手段と、一次処理した情報を処理コンピュータに送信する送信手段とを備え、
各発信元コンピュータにおいて、情報の選択と一次処理を行い、一次処理された情報を処理コンピュータに送信し、
処理コンピュータは、複数の発信元コンピュータから受信した一次処理済み情報に対する二次処理を行う、情報処理システム。
【請求項２】
情報ファイルに登録された商品群から複数の商品を選択して当該選択された商品の情報を掲載した情報誌を発行するシステムであって、
ネットワーク接続された発行元コンピュータ(11)と複数の情報発信者の元に置かれた発信元コンピュータ(31)とを備え、
発行元コンピュータ(11)は、発信元コンピュータ(31)とのページ送受信手段と、ブック作成手段とを備え、
発信元コンピュータ(31)は、画像情報を含む商品情報の登録手段と、商品ファイルと、商品選択手段と、ページ作成手段と、発行元コンピュータ(11)とのページ送受信手段と、データ管理手段とを備え、
発信元コンピュータ(31)において、当該コンピュータの商品ファイルから選択した商品の一覧を掲載したページを作成して発行元コンピュータ(11)に送信し、
発行元コンピュータ(11)において、複数の発信元から受信したページの順序を決定すると共に発行元情報を付加したブックを作成する、情報誌発行システム。
【請求項３】
発行元コンピュータ(11)は、ページレイアウト登録手段を備え、前記ページ作成手段は、発行元コンピュータ(11)に登録されたページレイアウトの選択手段と、ページレイアウトへの商品情報の複写手段とを含んでいる、請求項２記載の情報誌発行システム。
【請求項４】
情報ファイルに登録された商品群から複数の商品を選択して当該選択された商品の情報を掲載した情報誌を発行するシステムであって、
ネットワーク接続されたサーバ(42)と、発行元端末(11)と複数の情報発信者の元に置かれた発信元端末(31)とを備え、
サーバ(42)は、複数のページレイアウトと、ページレイアウトの選択手段と、選択したページレイアウトへの商品情報の複写手段を含むページ作成手段と、ブック作成手段と、画像情報を含む商品情報の登録手段と、商品選択手段と、データ管理手段と、各発信元端末用の商品ファイル及び作成されたページの記憶領域とを備え、
発信元端末(31)が当該発信元端末用の商品ファイルから選択した商品の一覧を掲載したページをサーバ上に作成し、
発行元端末(11)が複数の発信元が作成したページの順序を決定すると共に発行元情報を付加したブックを作成する、情報誌発行システム。
【請求項５】
前記商品情報の登録手段は、各商品毎の購入日及び金額情報並びに販売日及び金額情報の登録手段を含み、前記データ管理手段は、指定された日付範囲の金額情報の集計手段を備えている、請求項２、３又は４記載の情報誌発行システム。
【発明の詳細な説明】
【技術分野】
【０００１】
この発明は、中古車情報や不動産情報を掲載した情報誌を発行するのに特に好適な情報処理システムに関するものである。
【背景技術】
【０００２】
中古車情報や不動産情報の情報源は、中古車販売業者や不動産業者である。中古車や不動産などのリサイクル商品は、販売される商品（物件）の外観や仕様がばらばらで、その種類も多岐に亘り、またその販売業者も分散している。一方、これらの商品の購入希望者は、多数の商品の中から最も好ましい商品を選択したいと考えるので、これらの商品の情報をまとめて提供する手段として、中古車情報誌や不動産情報誌が利用されている。
【０００３】
これらの情報誌は、通常、販売業者から商品情報を集め、発行元が編集やデザインを行い、印刷所で印刷して発行元が頒布している。多数の商品を所有する大きな販売業者が独自の情報誌を発行する場合、即ち販売業者が発行元となる場合もあるが、殆どは相当数の販売業者から集めた情報を発行元がまとめて編集している。この種の情報誌は、安いコストで速やかに発行することが要求される。また、情報源となる販売業者が多数あり、かつ商品の入れ替わりも激しいので、人手による編集には時間を要するが、編集作業を定型化することが比較的容易である。
【０００４】
そこでこの種の情報誌の編集作業をコンピュータを用いて行えるようにした情報処理システムが提供されている。この種の情報処理システムは、予め代表的な複数のページレイアウト（割付様式）をコンピュータに登録しておき、販売業者から収集した商品情報をコンピュータに入力してデータベース化し、掲載する商品を、コンピュータ上でのドラッグアンドドロップ操作などにより、選択したページレイアウトの割付スペースに順次割り付けてゆくという操作で、ページを作成してゆく。登録した商品の価格帯やメーカ別の分類やソートなども、コンピュータを用いれば、極めて容易かつ短時間でできる。表示する商品の画像や仕様、販売業者名などもページレイアウトの割付欄に商品情報ファイルの項目名（フィールド名）を指定する操作で一括編集することが可能である。従って、このような情報処理システム（情報誌発行システム）を用いることにより、情報誌の編集作業に要する人手と時間とを大幅に短縮することが可能になる。
【０００５】
また、ネットワークを利用して、販売業者が各自の端末を用いてデータの入力を行い、そのデータを発行元のサーバで自動編集するシステムも提案されている。
【特許文献１】特開２００２−１０９０２０号公報
【発明の開示】
【発明が解決しようとする課題】
【０００６】
しかし、上記前者の情報誌発行システムを用いても、発行元は多数の販売業者から商品情報を収集してコンピュータに登録するという作業が必要である。更に販売業者は自分の商品がどのように掲載されるかに関心を持つから、作成したページを販売業者に送って承認を得る必要も生じ、販売業者の要求により、ページの変更が必要になる場合も稀ではない。また、商品の画像や仕様、価格などがコンピュータに入力されるが、入力されたデータは情報誌への掲載データとして使用されるだけである。
【０００７】
また上記後者のシステムでは、入力されたデータのマルチユースが可能になるが、情報誌に掲載されるデータの種類や画面レイアウトが画一的になり、情報誌が説得力や販促機能の低いものになるという欠点がある。
【０００８】
この発明は、中古車や不動産の情報誌の発行において、各販売業者の希望により適った情報誌をより速やかに発行することが可能で、かつ入力されたデータを販売管理や経理データとしても用いることが可能な情報処理システムを提供することにより、複数の販売業者を対象とした情報誌の発行等における情報処理量の低減と処理の高速化と情報のより多元的な利用とを図ることを課題としている。
【課題を解決するための手段】
【０００９】
この発明の情報処理システムは、従来、発行元などの処理センターのコンピュータ（サーバ）にすべての情報を蓄積し、当該コンピュータで情報の選択及び編集その他の処理を行う方法に代えて、複数の情報発信元（例えば中古車の販売業者）に設置したコンピュータ（発信元コンピュータ）に当該発信元の情報を蓄積し、処理センター（例えば中古車情報誌の発行元）に設置したコンピュータ（処理コンピュータないしサーバ）と複数の発信元コンピュータとをネットワークで接続して、処理コンピュータ側で作成したページレイアウトなどの処理ツールを発信元コンピュータに配布して、ページの作成などの発信元で可能な処理を当該処理ツールを利用して発信元コンピュータで行い、その処理結果のみを処理コンピュータで受信して、全体を統括する処理を処理コンピュータで行うことにより、上記課題を解決したものである。
【００１０】
即ち、この発明の情報処理システムは、情報ファイルから複数の情報を選択して当該選択された情報についての処理を行う情報処理システムであって、ネットワーク接続された処理コンピュータと複数の情報発信者の元に置かれた発信元コンピュータとを備え、処理コンピュータは、発信元コンピュータでの情報の一次処理に使用する一次処理ツールの配布手段と、各発信元コンピュータから受信した一次処理済み情報を統合的に処理する二次処理ツールとを備え、発信元コンピュータは、それぞれの発信元における情報の登録手段と、登録された情報の選択手段と、選択された情報を前記一次処理ツールを用いて処理する一次処理手段と、一次処理した情報を処理コンピュータに送信する送信手段とを備え、各発信元コンピュータにおいて、情報の選択と一次処理を行い、一次処理された情報を処理コンピュータに送信し、処理コンピュータは、複数の発信元コンピュータから受信した一次処理済み情報に対する二次処理を行うというものである。
【００１１】
この発明の情報処理システムは、中古車情報、不動産情報、その他のリサイクル品情報の情報誌発行システムとして特に適している。本願請求項２の情報誌発行システムは、情報ファイルに登録された商品群から複数の商品を選択して当該選択された商品の情報を掲載した情報誌を発行するシステムであって、ネットワーク接続された発行元コンピュータ１１と複数の情報発信者の元に置かれた発信元コンピュータ３１とを備え、発行元コンピュータ１１は、発信元コンピュータ３１とのページ送受信手段と、ブック作成手段とを備え、発信元コンピュータ３１は、画像情報を含む商品情報の登録手段と、商品ファイルと、商品選択手段と、ページ作成手段と、発行元コンピュータ１１とのページ送受信手段と、データ管理手段とを備え、発信元コンピュータ３１において、当該コンピュータの商品ファイルから選択した商品の一覧を掲載したページを作成して発行元コンピュータ１１に送信し、発行元コンピュータ１１において、複数の発信元から受信したページの順序を決定すると共に発行元情報を付加したブックを作成するというものである。
【００１２】
請求項３の発明に係る情報誌発行システムは、上記請求項２の構成を備えたシステムにおいて、発行元コンピュータ１１がページレイアウト登録手段を備え、前記ページ作成手段が発行元コンピュータ１１に登録されたページレイアウトの選択手段と、ページレイアウトへの商品情報の複写手段とを含んでいることを特徴とするものである。
【００１３】
またネットワーク上のサーバを利用して同様な処理を行う請求項４の情報誌発行システムは、情報ファイルに登録された商品群から複数の商品を選択して当該選択された商品の情報を掲載した情報誌を発行するシステムであって、ネットワーク接続されたサーバ４２と、発行元端末１１と複数の情報発信者の元に置かれた発信元端末３１とを備え、サーバ４２は、複数のページレイアウトと、ページレイアウトの選択手段と、選択したページレイアウトへの商品情報の複写手段を含むページ作成手段と、ブック作成手段と、画像情報を含む商品情報の登録手段と、商品選択手段と、データ管理手段と、各発信元端末用の商品ファイル及び作成されたページの記憶領域とを備え、発信元端末３１が当該発信元端末用の商品ファイルから選択した商品の一覧を掲載したページをサーバ上に作成し、発行元端末１１が複数の発信元が作成したページの順序を決定すると共に発行元情報を付加したブックを作成するというものである。
【００１４】
これらの情報誌発行システムにおいて、これらの情報誌発行システムにおいて、上記商品情報の登録手段が各商品毎の購入日及び金額情報並びに販売日及び金額情報の登録手段を含み、前記データ管理手段が指定された日付範囲の金額情報の集計手段を備えているシステムとすることにより、登録データを各販売業者の会計処理に利用することが可能になる。
【発明の効果】
【００１５】
上記のこの発明の情報処理システムによれば、情報の入力及び蓄積並びに各情報発信元において個別に可能な処理が、複数の発信元コンピュータにおいて分散して行われるので、処理コンピュータにおける処理負担が軽減され、また各発信元コンピュータにおける処理が処理コンピュータから配信される処理ツールを利用して行われるため、各発信元コンピュータにおける処理の統一性と簡易な操作性とが実現される。
【００１６】
更に、各発信元の情報が当該発信元のコンピュータにのみ記憶されるので、各発信元における当該情報の他の用途への個別の利用が可能であると共に、各発信元コンピュータの情報及び個別処理のセキュリティ管理も容易になる。
【００１７】
各発信元コンピュータから処理コンピュータへは、統括処理に必要な情報のみを送ればよいので、通信負荷が大幅に軽減され、また処理コンピュータにおける処理を各発信元コンピュータから参照する処理、例えば情報誌発行において、従来処理コンピュータで作成されていたページを各販売業者が確認するというような処理に要する通信負荷も軽減することができる。
【００１８】
従って、この発明によれば、中古車や不動産の情報誌の発行その他の情報処理をより短期間で行うことができ、また各発信元の情報は発信元コンピュータにのみ記憶されるので、各発信元の情報の秘密が保たれ、当該情報を発信元の各種の情報処理に利用することができる。更に発信元コンピュータと処理コンピュータとの間での送受信されるデータ量が少なくなるので、ネットワークの回線負荷が軽減され、特に多量のデータの伝送が要求される処理において、システム全体の処理の高速化を実現することができる。
【発明を実施するための最良の形態】
【００１９】
以下、中古車情報誌の発行を例にして、この発明の実施形態を具体的に説明する。
【実施例１】
【００２０】
図１は、この発明の情報誌発行システムを利用して中古車情報誌を発行する場合の第１実施例の処理の流れを示した図、図２はハードウェア構成図である。
【００２１】
図２において、１は中古車情報誌の発行元、２は印刷所、３・・・は中古車販売業者である。１１は発行元１に設置されている処理コンピュータ、２１は印刷所２に設置されている印刷所コンピュータ、３１は各販売業者に設置されている発信元コンピュータである。処理コンピュータ１１と発信元コンピュータ３１及び印刷所コンピュータ２１とは、インターネット４を介して接続されている。印刷所２には印刷機２２が設置されており、印刷所コンピュータ２１には製版機２３が接続されている。各販売業者３は、デジタルカメラ３２を有している。
【００２２】
図１において、発行元１は、処理コンピュータ１１を設置し、当該コンピュータに一次処理ツール（ページ作成ツール及びデータベース管理システム）５と二次処理ツール（ブック作成ツール）６を登録する。そして発行元名義で発行する情報誌に中古車情報を掲載してくれる販売業者３を募集する。発行元１は、募集に応じた販売業者に発信元コンピュータ３１を設置させ、発行元コンピュータ１１と発信元コンピュータ３１とをネットワーク接続して、一次処理ツールを発信元コンピュータ３１に配信する。
【００２３】
ここで、前記一次処理ツール５は、文字と画像の表示領域５１、５２を備えた複数のページレイアウト５３及びその表示手段と、商品ファイルに登録された情報をページレイアウトの表示領域５１、５２へ複写する複写手段と、画像ファイルへのリンクを含む商品ファイルの各項目への情報の入力手段を含むデータベース管理手段と、選択したページレイアウトと当該ページに複写されたデータとを発行元コンピュータ１１に送信する送信手段と、商品ファイルに登録された各商品の購入日、販売日、購入金額、販売金額項目から、所定期間の購入金額及び販売金額の集計を行う集計ツールとを含んでいる。
【００２４】
また前記二次処理ツール６は、発信元コンピュータ３１からのページ情報の受信手段と、受信したページの表示手段と、複数ページをブックに編集するブック作成手段と、作成したブックのページを発信元コンピュータ３１に送受信するページ送受信手段と、ブックを印刷所コンピュータ２１に送信す送信手段とを含んでいる。
【００２５】
発行元１が発行する中古車情報誌に自社が所有する中古車の情報を掲載しようとする販売業者３は、所有する発信元コンピュータ３１をインターネット４を通じて発行元コンピュータ１１に接続し、一次処理ツール５の配信を受ける。そして、商品登録画面を表示し、デジタルカメラ３２で撮影した自社所有の中古車の画像と販売価格、車種、型式、車検期限などのデータを登録する。
【００２６】
図３は中古車における商品情報の登録画面の一例を示した図で、販売価格、メーカ、車種、型式、年式、車検の年月、車体色、走行距離、ＡＴ／ＭＴ（変速機の手動／自動の別）、アルミ／タイヤ（ホイールやタイヤの種類）、エアバッグの有無、各種装備品などを入力する文字フィールド４０、画像データを表示する画像フィールド４１とが設けられている。画像フィールド４１へは、デジタルカメラ３２で撮影した画像一覧から対応する画像をドラッグアンドドロップすることによって、画像を入力する。
【００２７】
また、図の入力画面には示されていないが、当該車両の購入日付と購入価格、販売日付と販売価格及び販売先データの入力フィールドが設けられる。入力した情報は、商品ファイル（データベース）として個々の販売業者の発信元コンピュータ３１に記憶される。
【００２８】
商品を中古車情報誌に掲載しようとするときは、販売業者は、一次処理ツールに含まれている複数のページレイアウトの内から１つを選択して、発信元コンピュータ３１のディスプレイに表示する。図４はその一例を示した図で、画面の右上に出版日、ページ及びパターンの入力欄５４、５５、５６が設けられている。それぞれの入力欄のプルダウンボタン５７をクリックすると、選択できる出版日、ページ及びページレイアウトのプルダウンメニューが表示され、レイアウトの１つを選択することによって、画面にページレイアウト５３が表示される。
【００２９】
図のページレイアウト５３は、文字表示領域５１と画像表示領域５２とをマトリックス状に配置したデザインで、右側に操作ボタン６０ａ、６０ｂ・・・と商品の画像のサムネイル５８が表示されている。サムネイル５８に商品ファイルに登録されている商品の画像を表示して、情報誌に掲載する自動車の画像を画像表示領域５２にドラッグアンドドロップすることにより、当該車両の販売価格や車種などの仕様が文字表示領域５１に表示される。文字表示領域５１に表示する情報の種類は、設定画面によって追加や変更ができるようにしてある。サムネイル５８から画像表示領域５２へと商品の画像を順次ドラッグアンドドロップすることによって、情報誌の１ページが完成する。
【００３０】
画面の右側には、画像取込ボタン６０ａ、画像表示ボタン６０ｂ、詳細入力ボタン６０ｃ、ページ保存ボタン６０ｄ、ページ送信ボタン６０ｅ、登録画像読込ボタン６０ｆ、画像登録ボタン６０ｇ、前ページボタン６０ｈ、次ページボタン６０ｉなどのボタンが表示されている。画像取込ボタン６０ａをクリックすると、デジタルカメラのメモリに記録されている画像が発信元コンピュータ３１の画像フォルダに読み込まれる。画像表示ボタン６０ｂをクリックすると、画像フォルダに登録されている商品画像がサムネイル表示領域５８に表示される。詳細入力ボタン６０ｃをクリックすると、図３に示した入力画面が表示される。このボタンは、例えばサムネイル表示領域に表示された画像をページレイアウトの画像表示領域にドラックしたとき、文字データが表示されない場合などに使用される。作成したページは、ページ保存ボタン６０ｄをクリックすることによって、発信元コンピュータ３１に保存され、ページ送信ボタン６０ｅをクリックすると、発行元コンピュータ１１に送信される。登録画像読込ボタン６０ｆは、登録済商品の画像をサムネイル表示させるボタンであり、画像登録ボタン６０ｇは、データベースに登録されていない画像をサムネイル表示するボタンである。前ページ及び次ページボタン６０ｈ、６０ｉは、サムネイル表示領域の表示を切り替える。
【００３１】
以上のようにして作成されたページは、各販売業者から発行元コンピュータ１１に送信される。発行元１の編集者は、送信されてきた各ページの内容をチェックし、ページ相互の割付を行って、更に発行元による追加情報を記録したページを追加して、１冊の情報誌（ブック）を作成して、印刷所コンピュータ２１に送信する。必要があれば、ブックを作成するとき、発信元コンピュータ３１との間でページの送受信を行って、必要な確認及び修正を行う。
【００３２】
ブック情報を受け取った印刷所コンピュータ２１は、用紙に対するページの割付を行い、製版機２３で印刷版を作成し、印刷及び製本した情報誌を発行元１に納品する。
【００３３】
販売業者３は、新たに中古車を購入したときや、手持ちの中古車を販売したときは、商品ファイルの入力画面を開き、該当する車両の購入日及び購入価格又は販売日、販売価格及び販売先データを入力する。このデータは各発信元コンピュータ３１のみに記憶される。各販売業者は、適宜これらのデータを用いて、仕入額や販売額の集計をすることができ、また販売日と購入日の差や販売金額と購入金額の差などから、どのような中古車が好まれているかや利益率が大きいかなどを把握することが可能である。
【実施例２】
【００３４】
図５は第２実施例の処理の流れを示した図、図６はそのハードウェア構成図である。この第２実施例は、ネットワーク上のサーバを利用してこの発明の中古車情報発行システムを構成した例である。以下、第１実施例と異なる点について説明する。
【００３５】
ハードウエア構成を示す図６において、１は発行元、２は印刷所、３・・・は販売業者、４はインターネットである。１１は発行元端末、２１は印刷所コンピュータ、３１は発信元端末、４２はインターネット上のサーバである。２２は印刷機、２３は製版機、３２はデジタルカメラである。
【００３６】
処理の流れを示す図５において、発行元１は、サーバ４２を設置し、一次処理ツール（ページ作成ツール及びデータベース管理システム）５と二次処理ツール（ブック作成ツール）６（図６参照）とを登録する。そして、中古車情報を掲載する販売業者に発信元端末３１を設置させ、サーバ４２に当該発信元用の商品ファイルとページの記憶領域を準備すると共に、当該記憶領域と一次処理ツールにアクセスするためのパスワードを交付する。
【００３７】
中古車の情報を掲載しようとする販売業者３は、所有する発信元端末３１をインターネット４を通じてサーバ４２に接続し、一次処理ツール５の商品登録画面を表示し、デジタルカメラ３２で撮影した自社所有の中古車の画像と販売価格、車種、型式、車検期限などのデータを発信元端末３１を介して入力する。入力した情報は、商品ファイル（データベース）として、サーバ４２上の個々の販売業者の記憶領域に記憶される。
【００３８】
商品を中古車情報誌に掲載するときは、販売業者は、所望のページレイアウトを発信元端末３１のディスプレイに表示し、第１実施例の場合と同様にしてページを作成する。作成したページは、図４のページ保存ボタン６０ｄをクリックすることによって、サーバの発信元用の記憶領域に保存され、ページ送信ボタン６０ｅをクリックすると、サーバのブック作成ツールの記憶領域に複写される。
【００３９】
発行元１の編集者は、発行元端末１１からサーバ４２にアクセスし、ブック作成ツール６を用いて各ページの内容をチェックし、ページ相互の割付を行って、更に発行元による追加情報を記録したページを追加して、１冊の情報誌（ブック）を作成して、印刷所コンピュータ２１に対するアクセス許可フラグを立てる。このフラグが立つと、サーバ４２は、印刷所コンピュータ２１に校了済みメールを送信する。
【００４０】
校了済みメールを受け取った印刷所２は、サーバ４２にアクセスしてブック情報を受け取り、情報誌の印刷及び製本を行い、発行元１に納品する。
【００４１】
販売業者３は、中古車を購入したときや販売したとき、サーバ４２にアクセスして商品ファイルの入力画面を開き、日付や価格などのデータを入力する。このデータはサーバ４２上の各発信元専用の記憶領域に記憶され、パスワードなどによって保護される。各販売業者は、適宜これらのデータを用いて、商品管理や経理処理を行うことができる。
【図面の簡単な説明】
【００４２】
【図１】情報誌発行システムにおける実施例１の処理の流れを示す図
【図２】実施例１のハードウェア構成図
【図３】中古車情報誌発行用の商品情報の入力画面の一例を示す図
【図４】ページ作成画面の一例を示す図
【図５】実施例２の処理の流れを示す図
【図６】実施例２のハードウェア構成図
【符号の説明】
【００４３】
31  発信元コンピュータ
11  発行元コンピュータ
42  サーバ
【図１】
2005038189.tif 000003
【図２】
2005038189.tif 000004
【図３】
2005038189.tif 000005
【図４】
2005038189.tif 000006
【図５】
2005038189.tif 000007
【図６】
2005038189.tif 000008